(57)【特許請求の範囲】
【請求項１】
ディスクプレーヤーの表面に設けられ、ディスクが載置されるディスクトレイがプレーヤ部に対し出入り可能な開口部を有するパネル装置であって、前記ディスクプレーヤー表面の一部を構成し、前記開口部が形成された外枠体と、前記外枠体の開口部に下端部が装着されて、自由状態では前記外枠体に対し閉じられた閉姿勢をとり、前記ディスクトレイに押圧されることで前記外枠体に対して開かれた開姿勢をとる開閉自在な蓋部と、を備えたディスクプレーヤーのパネル装置において、
前記蓋部としてのトレイパネルは、開姿勢時におけるトレイパネルの重心を前記外枠体としてのフロントキャビネットよりプレーヤ部側に位置させることによってトレイパネルに対するディスクトレイの押圧力が解除されることによりトレイパネルを自力で閉姿勢とする錘部を有し、
前記トレイパネルの下端部の水平方向中央部分に突出部が形成されているのに対し、前記開口部の下方近傍の前記外枠体としてのフロントキャビネットに、前記突出部の水平方向の移動を規制するための保持部が形成され、その保持部が、前記突出部を挟んでその水平方向両側に位置する縦長凸条とそれらの縦長凸条の下端相互間に亘る横長凸条とによって形成されていることを特徴とするディスクプレーヤーのパネル装置。
【請求項２】
請求項１に記載のパネル装置を備えたディスクプレーヤーと、前記ディスクプレーヤーの上方に配置されるテレビジョン受像装置と、一部に前記パネル装置を含み、前記ディスクプレーヤーと前記テレビジョン受像装置とが収納される筺体と、を備えたディスクプレーヤー一体型テレビジョン受像装置。
【発明の詳細な説明】
【０００１】
【発明の属する技術分野】
本発明は、ディスクプレーヤーのパネル装置、特に、ディスクプレーヤーの表面に設けられ、ディスクが載置されるディスクトレイが出入りするためのパネル装置に関する。
【０００２】
【従来の技術】
ＣＤ、ＤＶＤ等の円板状ディスクを再生するためのディスクプレーヤーとして、ディスクを載置するためのディスクトレイを備えたものがある。ディスクトレイは、通常、ローダー等の搬送機構によりディスクプレーヤーに対し出入り自在となっている。
【０００３】
この種のディスクプレーヤーには、フロントキャビネットにディスクトレイが出入りするための開口部が設けられている。そして、ディスクトレイの先端部には、開口部の蓋となるトレイパネルが取り付けられており、トレイパネルは、通常、開口部の開口の形状、色彩等に対応して形成されている。また、トレイパネルは、ディスクトレイがディスクプレーヤー内に収納されたときに、フロントキャビネットと面一になるようディスクプレーヤー内部に装着されている。これにより、ディスクプレーヤーのフロント部分は見栄えのよい外観を呈するようになっている。
【０００４】
【発明が解決しようとする課題】
このようなディスクプレーヤーでは、フロント部分の見栄えをよくする観点から、トレイパネルは、ディスクプレーヤー内に収納されたときにフロントキャビネットの開口部の中央部分に位置するよう、設計されるのが好ましい。
【０００５】
しかし、トレイパネルは、フロントキャビネットと別体のディスクトレイに取り付けられるため、組立時にディスクトレイの配置位置に僅かでもズレが生じたりすると、ディスクトレイが収納されたときに、トレイパネルが開口部の中央部分からずれたり、トレイパネルとディスクトレイと面一にならなかったりして、ディスクプレーヤーのフロント部分の見栄えが悪くなる。
【０００６】
これにより、トレイパネルが収納状態でキャビネットの開口部の中心位置からずれて位置し、フロント部分の見栄えが悪くなる場合がある。しかしながら、組立後にキャビネットの開口部とトレイパネルとが互いの中心位置で位置決めされるよう、キャビネットを製造するのは困難である。
【０００７】
また、ディスクプレーヤーの上方にテレビ受像装置が配置されてなるディスクプレーヤー一体型テレビ受信装置等の電気機器では、ディスクプレーヤーとテレビ受像装置とは共通の筺体に収納されているが、このような電気機器を組み立てる場合、キャビネットは、ブラウン管等の比較的重い部品の重量を受けることにより弾性変形し、この結果、キャビネットに収納される各部品の相対位置にずれが生じる。したがって、前述のようなトレイパネルの位置決めの問題は、このような電気機器においては一層顕著に発生する。
【０００８】
一方、ディスクプレーヤー以外にも、情報記録媒体の再生装置として、ビデオデッキ、メモリカード読み取り装置等がある。これらの装置では、ディスクプレーヤーと同様に、フロント部分にビデオカセットやメモリカードを出し入れするための開口部が設けられているが、開口部の蓋となるパネルは開口部に装着されている。このようなパネル装置として、実開昭63-91681号公報、実開平5-55399 号公報、実登3048758 号等に示されるような技術が既に提案されている。
【０００９】
しかし、これらの再生装置では、ビデオカセットやメモリカードは直接ビデオデッキ、マイコン制御装置内に収納されるため、前述のディスクプレーヤーのようにディスクトレイを別途設ける必要がない。したがって、ここでも、前述のようなトレイパネルの位置決めの問題は生じない。
【００１０】
本発明の目的は、ディスクトレイを有するディスクプレーヤーにおいて、ディスクプレーヤーのフロント部分の見栄えをよくすることにある。また、本発明の別の目的は、テレビ受像装置と一体に形成されたディスクプレーヤーにおいて、ディスクプレーヤーのフロント部分の見栄えをよくすることにある。
【００１１】
【課題を解決するための手段】
請求項１に記載のディスクプレーヤーのパネル装置は、ディスクプレーヤーの表面に設けられ、ディスクが載置されるディスクトレイがプレーヤ部に対し出入り可能な開口部を有するパネル装置であって、前記ディスクプレーヤー表面の一部を構成し、前記開口部が形成された外枠体と、前記外枠体の開口部に下端部が装着されて、自由状態では前記外枠体に対し閉じられた閉姿勢をとり、前記ディスクトレイに押圧されることで前記外枠体に対して開かれた開姿勢をとる開閉自在な蓋部と、を備えたディスクプレーヤーのパネル装置において、前記蓋部としてのトレイパネルは、開姿勢時におけるトレイパネルの重心を前記外枠体としてのフロントキャビネットよりプレーヤ部側に位置させることによってトレイパネルに対するディスクトレイの押圧力が解除されることによりトレイパネルを自力で閉姿勢とする錘部を有し、前記トレイパネルの下端部の水平方向中央部分に突出部が形成されているのに対し、前記開口部の下方近傍の前記外枠体としてのフロントキャビネットに、前記突出部の水平方向の移動を規制するための保持部が形成され、その保持部が、前記突出部を挟んでその水平方向両側に位置する縦長凸条とそれらの縦長凸条の下端相互間に亘る横長凸条とによって形成されていることを特徴とする。
【００１２】
このパネル装置では、ディスクトレイは、外枠体の開口部を通ってディスクプレーヤーに対し出入りする。このとき、蓋部は、ディスクトレイの出入りを妨げないよう開閉する。すなわち、蓋部は、ディスクトレイがディスクプレーヤーの外方に引き出された状態では開いており、ディスクトレイがディスクプレーヤー内に収納された状態では閉じている。
【００１３】
蓋部は、ディスクトレイではなく外枠体に装着されていて、しかも、蓋部としてのトレイパネルの下端部の水平方向中央部分に形成されている突出部の水平方向の移動が、開口部の下方近傍の外枠体としてのフロントキャビネットに形成されている保持部によって規制されるようになっているので、組み立て時に外枠体の開口部に対し位置がずれることがなく、ディスクプレーヤーのフロント部分の見栄えをよくすることができる。
【００１４】
これに対し、このパネル装置では、蓋部は、ディスクトレイに押圧されることで開くので、開閉機構等の蓋部を開閉させるための手段を設ける必要がなく、これにより、部品点数の低減、省スペース化等を図ることができる。
【００１５】
また、蓋部は下端部が前記開口部に装着されている、ディスクトレイは、通常、上面にディスクが載置される。このため、例えば、蓋部の上端部が外枠体に装着されていると、蓋部の開閉動作に伴い下端部がディスクトレイ上のディスクに接触するため、ディスクの位置がずれる、ディスクに傷が付く等の問題が生じる場合がある。
【００１６】
そこで、このパネル装置では、ディスクトレイの下端部を外枠体に装着することとし、これにより、上記問題が生じるのを防止している。
【００１７】
このパネル装置では、蓋部は、ディスクトレイによる押圧力から解放されると、自動的に閉じる。ここで、蓋部が開姿勢をとるような形状は、例えば、蓋部の一部に突出部が形成されていたり、蓋部の一部の肉厚が異なっていたりすることにより形成される。蓋部をこのような形状に形成することにより、蓋部の重心位置を適宜移動させることができ、これにより、蓋部が自由状態で閉姿勢をとるようにすることができる。
【００１８】
また、ビデオデッキ等の再生装置では、実登3048758 号公報等に示されるように、開口部に設けられた蓋部は、スプリング等の付勢部材に付勢されることにより閉じるようになっている。
【００１９】
これに対し、この装置では、蓋部は単独で閉じるようになっているため、部品点数を減らし、製造コストを削減することができる。
【００２０】
請求項２に記載のディスクプレーヤー一体型テレビジョン受像装置は、ディスクプレーヤーとテレビジョン受像装置と筺体とを備えている。ディスクプレーヤーは請求項１に記載のパネル装置を備えている。テレビジョン受像装置はディスクプレーヤーの上方に配置される。筺体は、パネル装置の一部を構成し、ディスクプレーヤーとテレビジョン受像装置とが収納される。
【００２１】
この装置では、ディスクプレーヤーの上方に、比較的重い部品で構成されるテレビジョン受像装置が配置されている。このため、この装置を組み立てる場合は、筺体に歪みが生じやすくなる。この結果、ディスクプレーヤー部分におけるディスクトレイの開口部に対する位置決めはさらに困難となる。
【００２２】
しかし、この装置では、蓋部は外枠体に装着されているため、ディスクトレイの外枠体に対する位置決めを厳密に行わなくとも、ディスクプレーヤーのフロント部分の見栄えをよくすることができる。
【００２３】
【発明の実施の形態】
図１に本発明の一実施形態が採用されたＤＶＤプレーヤー付きテレビコンボ（以下、ＤＶＤコンボ）１０を示す。このＤＶＤコンボ１０は、ＤＶＤプレーヤー部（以下、プレーヤー部）１１とテレビジョン受像装置部（以下、テレビ部）１３と筺体１５とを備えている。
【００２４】
本実施形態のプレーヤー部１１は、ディスク（図示せず）を載置するためのディスクトレイ１７を備えたタイプのものである。プレーヤー部１１のフロント部分には、このディスクトレイ１７がプレーヤー部１１内に出入りするためのパネル装置１が設けられている。ディスクトレイ１７は、先端部にトレイパネル５（後述）をプレーヤー部１１内部から押圧するための押圧部１７ａを有している。また、パネル装置１の近傍には、プレーヤー部１１に再生、ディスクの取り出し等の動作を行わせる指示をするための操作部１９が設けられている。操作部１９には、ディスクトレイ１７をＤＶＤコンボ１０から引き出しまたはＤＶＤコンボ１０内に収納させるためのイジェクトボタン（図示せず）が設けられている。
【００２５】
パネル装置１は、図２に示すように、フロントキャビネット３とトレイパネル５とを備えている。フロントキャビネット３は、プレーヤー部１１のフロント部分となる樹脂製カバー部材であり、筐体１５の一部を構成するものである。フロントキャビネット３には、ディスクトレイ１７がでプレーヤー部１１に対し出入り可能に、ディスクトレイ１７の配置位置に対応して開口部７が形成されている。開口部７の下方近傍のフロントキャビネット３には、トレイパネル５の突出部５ｂ（後述）の水平方向の移動を規制するための保持部３ａが形成されている。
【００２６】
トレイパネル５の下端部には水平方向両端に突出部５ａが形成されており、両突出部５ａはフロントキャビネット３の開口部７下端部に形成された支持部に支持されている。これにより、トレイパネル５は開口部７に対し開閉自在となっている。ここでは、トレイパネル５は、プレーヤー部１１の外方に倒れた状態である開姿勢（図３参照）と、フロントキャビネット３と面一になった状態である閉姿勢（図４参照）との間で回動自在となっている。また、トレイパネル５下端部の水平方向中央部分には、トレイパネル５をフロントキャビネット３に対し位置決めさせるための突出部５ｂが形成されている。そして、図２のように、前記保持部３ａが、この突出部５ｂを挟んでその水平方向両側に位置する縦長凸条とそれらの縦長凸条の下端相互間に亘る横長凸条とによって形成されている。
【００２７】
トレイパネル５は、下端部の水平方向両端から斜め下方に延びて形成された錘部５ｃをさらに有している。錘部５ｃはディスクトレイ１７の進路を妨げないよう形成されている。錘部５ｃの内部には、金属等の比較的比重の大きい材質からなる部材が配置されている。ここでは、トレイパネル５は、開姿勢時におけるトレイパネル５の重心Ｇがフロントキャビネット３よりプレーヤー部１１側に位置するよう形成されている。このため、ディスクトレイ１７が収納される等してトレイパネル５に対するディスクトレイ１７の押圧力が解除されると、２つの突出部５ａを軸として旋回し、自力で閉姿勢をとることとなる。
【００２８】
テレビ部１３は、プレーヤー部１１の上方に配置されており、ＤＶＤコンボ１０内でプレーヤー部１１に接続されている。筺体１５は、プレーヤー部１１とテレビ部１３とが収納される樹脂製カバー部材であり、プレーヤー部１１が収納される部分と、テレビ部１３が収納される部分とが一体に形成されている。
【００２９】
このように構成されたＤＶＤコンボ１０では、ＤＶＤをプレーヤー部１１内に収納する場合、操作部１９のイジェクトボタンを押すことによりディスクトレイ１７をプレーヤー部１１の外方に引き出す。このとき、トレイパネル５は、ディスクトレイ１７の押圧部１７ａに押圧されて外方に倒れるよう旋回して開姿勢となる。
【００３０】
そして、ディスクトレイ１７にディスクを載置し、再度イジェクトボタンを押すと、ディスクトレイ１７はプレーヤー部１１内に収納される。このとき、ディスクトレイ１７がトレイパネル５上を通過すると、トレイパネル５は、重心Ｇがプレーヤー部１１側に位置しているため、プレーヤー部１１側に旋回して閉姿勢となる。
【００３１】
このパネル装置１では、トレイパネル５はフロントキャビネット３に直接位置決めされて装着されているため、組立時の筺体１５の歪み等の影響を受けることがない。このため、トレイパネル５のフロントキャビネット３に対する相対位置が安定し、従来のようにディスクトレイの先端部にトレイパネルを取り付けた場合に比べ、プレーヤー部１１のフロント部分の見栄えがよくなる。
【００３２】
［他の実施形態］
（ａ）トレイパネル５に形成される錘部５ｃの位置、錘部５ｃの形状等は、自由状態でトレイパネル５が閉姿勢をとりうる形状であり、かつ、ディスクトレイ１７の出入りを妨げないような形状であれば、特に限定されるものではない。また、錘部５ｃは、内部に別部材を配置する以外にも、厚肉に形成すること等により重心Ｇを移動させるようにしてもよい。
【００３３】
（ｂ）パネル装置１は、ＤＶＤコンボ１０以外の電気機器またはディスクプレーヤ単体にも適用できる。
【００３４】
【発明の効果】
本発明によれば、ディスクプレーヤーのフロント部分に配置されるトレイパネルは外枠体に直接装着されているため、トレイパネルのフロントキャビネットに対する相対位置が安定し、ディスクプレーヤーのフロント部分の見栄えがよくなる。
【図面の簡単な説明】
【図１】  本発明の一実施形態が採用されたＤＶＤコンボを示す縦断面図。
【図２】  本発明の一実施形態が採用されたパネル装置のトレイパネル及びトレイパネル付近を示す立面図。
【図３】  前記トレイパネルが開姿勢である場合のパネル装置の縦断面図。
【図４】  前記トレイパネルが閉姿勢である場合のパネル装置の縦断面図。
【符号の説明】
１  パネル装置
３  フロントキャビネット
５  トレイパネル
７  開口部
１０  ＤＶＤコンボ
１１  プレーヤー部
１３  テレビ部
１５  筺体
１７  ディスクトレイ
【図１】
0003736614.tif 000002
【図２】
0003736614.tif 000003
【図３】
0003736614.tif 000004
【図４】
0003736614.tif 000005